(57)【要約】【課題】サービス局側からの更新データ送信により、個々のユーザ側が必要とする異なる回路更新データを容易に提供することができる電子装置及び電子装置更新方法を提供する。【解決手段】ユーザ側から送信された回路更新のための配線データ要求コマンドと更新可能回路の構成条件を受信装置１で受信する。サービス局側では、ユーザ側が要求した配線データが存在するかＨＤＤ６を検索する。配線データが存在すれば配線データをユーザ側に送信装置２から送信し、配線データが存在しない場合は、ユーザの要求する回路データがＨＤＤ６に存在し、かつ、ユーザの要求する構成条件で配線データの作成が可能ならば配線データを作成して送信する。また、配線の作成が不可能ならば、ユーザ側へ回路更新不可能通知を送信装置２より送信する。ユーザ側は、この情報を基に回路更新が可能な場合に更新可能回路を更新する。【選択図】        図１
2005011122.tif 000002
【特許請求の範囲】
【請求項１】
ユーザ側電子機器と通信手段で接続されたサービス局側に設けられ、前記ユーザ側電子機器が有する配線の書き換え自在な更新可能回路に回路の配線情報である配線データを送信する電子装置において、
前記ユーザ側電子機器から前記サービス局側に送信される配線データを要求するコマンド及び更新可能回路の構成条件を受信する受信手段と、
前記更新可能回路のための複数の配線データまたは配線データに関する複数の回路データを格納しておく記憶手段と、
前記更新可能回路の構成条件に該当する配線データが前記記憶手段に存在せず、かつ、前記ユーザ側電子機器が要求する前記配線データと同一の機能を有する回路データが存在するときに当該回路データから前記更新可能回路の構成条件に従って配線データを作成する配線データ生成手段と、
前記記憶手段に格納されていた配線データまたは前記配線データ生成手段によって作成された配線データを、前記サービス局側から前記ユーザ側電子機器に送信する送信手段と
を備えたことを特徴とする電子装置。
【請求項２】
サービス局側と通信手段で接続されたユーザ側電子機器に設けられ、配線の書き換え自在な更新可能回路を有する電子装置において、
前記通信手段を介して前記ユーザ側電子機器から前記サービス局側に対して更新可能回路の配線情報である配線データを要求するコマンドと前記更新可能回路の構成条件を送信する送信手段と、
前記通信手段を介して前記サービス局側から前記更新可能回路の構成内容に対応した配線データを受信する受信手段と、
前記配線データによって電子装置の回路を更新する回路更新手段と
を備えたことを特徴とする電子装置。
【請求項３】
サービス局側と通信手段で接続されたユーザ側電子機器が有する電子装置内の配線書き換え自在な更新可能回路に回路の配線情報である配線データを送信する電子装置更新方法において、
前記ユーザ側電子機器から前記サービス局側に送信される配線データを要求するコマンド及び更新可能回路の構成条件を受信する受信ステップと、
前記更新可能回路のための複数の配線データまたは配線データに関する複数の回路データを格納しておく記憶ステップと、
前記記憶ステップからユーザ側電子機器が要求する前記配線データまたは配線データと同一の機能を有する回路データを検索する検索ステップと、
前記更新可能回路の構成条件に該当する配線データが前記記憶ステップに存在せず、かつ、前記ユーザ側電子機器が要求する前記配線データと同一の機能を有する回路データが存在するときに当該回路データから前記更新可能回路の構成条件に従って配線データを作成する配線データ生成ステップと、
前記記憶ステップで格納された配線データまたは前記配線データ生成ステップによって作成された配線データを、前記サービス局側から前記ユーザ側電子機器に送信する送信ステップと
を備えたことを特徴とする電子装置更新方法。
【請求項４】
サービス局側と通信手段で接続されたユーザ側電子機器が有する電子装置内の配線書き換え自在な更新可能回路に回路の配線情報である配線データを供給する電子装置更新方法において、
前記通信手段を介して前記ユーザ側電子機器から前記サービス局側に対して更新可能回路の配線データを要求するコマンドと前記更新可能回路の構成条件を送信する送信ステップと、
前記通信手段を介して前記サービス局側から前記更新可能回路の構成内容に対応した配線データを受信する受信ステップと、
前記配線データによって電子装置の回路を更新する回路更新ステップと
を備えたことを特徴とする電子装置更新方法。
【発明の詳細な説明】
【０００１】
【発明の属する技術分野】
本発明は、サービス局側とユーザ側との間を通信手段によって接続し、ユーザ側に設けられた更新可能回路を更新するために用いられる電子装置及び電子装置更新方法に関する。
【０００２】
【従来の技術】
近年、ブロードバンド技術の発展により家庭でも数Ｍｂｐｓ〜数１０Ｍｂｐｓの通信回線が普及してきており、インターネット放送局等のサービス局側からＡＶ（オーディオ／ビジュアル）コンテンツデータを家庭（ユーザ側）で受信して楽しむことができる。ＡＶコンテンツデータはそのままでは容量が大きいのでＭＰＥＧ（Ｍｏｖｉｎｇ  Ｐｉｃｔｕｒｅ  Ｅｘｐｅｒｔ  Ｇｒｏｕｐ）方式など様々な方式で圧縮して配信されユーザ側の端末で伸張して元の映像や音が再現される。
【０００３】
圧縮伸長方式は現在でも多様な方式が提案、実用化されているが、これからも新たな方式が次々と提案、実用化されると予想されている。
パーソナルコンピューターにおいては、通常ソフトウエアと汎用のＣＰＵを使用して圧縮伸張が行われる。したがって、ユーザ側でもソフトウエアを入手することによって新方式の圧縮伸長に対応可能である。一方、低コストや低消費電力が重視されるブロードバンドＳＴＢ（Ｓｅｔ  Ｔｏｐ  Ｂｏｘ）等の端末では、高価なＣＰＵの代わりに、圧縮伸張専用のハードウエアまたはＤＳＰ（Ｄｉｇｉｔａｌ  Ｓｉｇｎａｌ  Ｐｒｏｃｅｓｓｏｒ）で圧縮伸張が行われる。しかし、ハードウエアの場合、ユーザ側で新方式の圧縮伸張方式への対応や性能向上、不具合改善のための対応は不可能である。ＤＳＰの場合、ＣＰＵの場合と同様にＤＳＰのソフトウエアを更新することにより対応することができるが、高性能なＤＳＰになるほど消費電力が大きく、コストは高くなる。
【０００４】
また、ＤＶＤ（Ｄｉｇｉｔａｌ  Ｖｅｒｓａｔｉｌｅ  Ｄｉｓｃ）ビデオディスクやＤＶＤオーディオディスク等のパッケージメディアの再生機や前述のブロードバンドＳＴＢ端末、衛星放送受信端末等で使用される圧縮伸張回路等の回路は、その規模の増大により回路の検証が難しくなってきているので、回路内部の不具合を完全に無くすることができない。
【０００５】
現在、ソフトウエア部分については更新可能な機器もあるが、ハードウエア部分も更新可能であることが望ましい。
そこで、ハードウエア部分を更新する手法として、任意の論理回路の構成が可能なＦＰＧＡ（Ｆｉｅｌｄ  Ｐｒｏｇｒａｍｍａｂｌｅ  Ｇａｔｅ  Ａｒｒａｙ）を用いる方法が知られている。設計者はＭＰＥＧ伸張等のアルゴリズムを回路図またはＶｅｒｉｌｏｇやＶＨＤＬ等のハードウエア記述言語で記述し、そのデータを専用の開発環境に入力して処理することによりＦＰＧＡの配線データを生成させる。そしてＲＯＭ（Ｒｅａｄ  Ｏｎｌｙ  Ｍｅｍｏｒｙ）等に記録し、起動時に配線データをＦＰＧＡ内に読み込むことによって回路を再構成させる。
【０００６】
ＦＰＧＡの型名や回路速度、ピン配置などは、配線データの生成時に生成条件として指定が行えるので、一つの回路データから様々なＦＰＧＡの型や回路速度、ピン配置に対応した配線データを生成することができる。
この手法を用いた例として、コンピュータ装置のアプリケーションプログラムを実行するときに、外部記憶装置からデータを供給し、そのアプリケーションに特有の回路をＦＰＧＡに構成してアプリケーションの実行速度を向上させるもの（例えば、特許文献１参照）や、通信手段を介してサービス局にある配線データをユーザ側に送信し、ユーザ側のハードウエア更新を行うものがある（例えば、特許文献２参照）。
【０００７】
【特許文献１】
特開平５−１５０９４３号公報
【特許文献２】
特開平１０−２０７３６２号公報
【０００８】
【発明が解決しようとする課題】
しかし、上記従来技術では、サービス局側から通信手段によってユーザ側のハードウエアの更新を行う場合、サービス局側から送信する配線データが、ユーザ側の装置の更新可能回路のピン配置、性能、型番に対応したデータでなければ更新できないので、個々のユーザ側が必要とする異なる回路更新データを容易に提供することができなかった。
【０００９】
本発明は、上述した課題を解決するために創案されたものであり、個々のユーザ側が異なる回路更新データを必要とする複数種類の装置を有している場合でも、サービス局側からの更新データ送信により、正確かつ容易に複数種類の装置に対応した回路更新データの提供を行うことができる電子装置及び電子装置更新方法を提供することを目的としている。
【００１０】
【課題を解決するための手段】
上記目的を達成するために、請求項１記載の発明は、ユーザ側電子機器と通信手段で接続されたサービス局側に設けられ、前記ユーザ側電子機器が有する配線の書き換え自在な更新可能回路に回路の配線情報である配線データを送信する電子装置において、前記ユーザ側電子機器から前記サービス局側に送信される配線データを要求するコマンド及び更新可能回路の構成条件を受信する受信手段と、前記更新可能回路のための複数の配線データまたは配線データに関する複数の回路データを格納しておく記憶手段と、前記更新可能回路の構成条件に該当する配線データが前記記憶手段に存在せず、かつ、前記ユーザ側電子機器が要求する前記配線データと同一の機能を有する回路データが存在するときに当該回路データから前記更新可能回路の構成条件に従って配線データを作成する配線データ生成手段と、前記記憶手段に格納されていた配線データまたは前記配線データ生成手段によって作成された配線データを、前記サービス局側から前記ユーザ側電子機器に送信する送信手段とを備えたことを特徴とする電子装置である。
【００１１】
また、請求項２記載の発明は、サービス局側と通信手段で接続されたユーザ側電子機器に設けられ、配線の書き換え自在な更新可能回路を有する電子装置において、前記通信手段を介して前記ユーザ側電子機器から前記サービス局側に対して更新可能回路の配線情報である配線データを要求するコマンドと前記更新可能回路の構成条件を送信する送信手段と、前記通信手段を介して前記サービス局側から前記更新可能回路の構成内容に対応した配線データを受信する受信手段と、前記配線データによって電子装置の回路を更新する回路更新手段とを備えたことを特徴とする電子装置である。
【００１２】
また、請求項３記載の発明は、サービス局側と通信手段で接続されたユーザ側電子機器が有する電子装置内の配線書き換え自在な更新可能回路に回路の配線情報である配線データを送信する電子装置更新方法において、前記ユーザ側電子機器から前記サービス局側に送信される配線データを要求するコマンド及び更新可能回路の構成条件を受信する受信ステップと、前記更新可能回路のための複数の配線データまたは配線データに関する複数の回路データを格納しておく記憶ステップと、前記記憶ステップからユーザ側電子機器が要求する前記配線データまたは配線データと同一の機能を有する回路データを検索する検索ステップと、前記更新可能回路の構成条件に該当する配線データが前記記憶ステップに存在せず、かつ、前記ユーザ側電子機器が要求する前記配線データと同一の機能を有する回路データが存在するときに当該回路データから前記更新可能回路の構成条件に従って配線データを作成する配線データ生成ステップと、前記記憶ステップで格納された配線データまたは前記配線データ生成ステップによって作成された配線データを、前記サービス局側から前記ユーザ側電子機器に送信する送信ステップとを備えたことを特徴とする電子装置更新方法である。
【００１３】
また、請求項４記載の発明は、サービス局側と通信手段で接続されたユーザ側電子機器が有する電子装置内の配線書き換え自在な更新可能回路に回路の配線情報である配線データを供給する電子装置更新方法において、前記通信手段を介して前記ユーザ側電子機器から前記サービス局側に対して更新可能回路の配線データを要求するコマンドと前記更新可能回路の構成条件を送信する送信ステップと、前記通信手段を介して前記サービス局側から前記更新可能回路の構成内容に対応した配線データを受信する受信ステップと、前記配線データによって電子装置の回路を更新する回路更新ステップとを備えたことを特徴とする電子装置更新方法である。
【００１４】
【発明の実施の形態】
以下、図面を参照して本発明の実施の形態を説明する。
図１は、サービス局側の基本構成の一例を示す図である。
サービス局側は、受信装置１、送信装置２、ＣＰＵ３、ＲＡＭ４、ＡＴＡ／ＡＴＡＰＩインタフェース５、ＨＤＤ６等で構成されている。受信装置１は後述するユーザ側の電子装置から配線データ要求コマンドや更新可能回路の構成条件データ等のデータを受信して、ＣＰＵ等に送る。送信装置２は、ユーザ側の電子装置に画像及び音声圧縮データや回路更新データ、コマンドに対する応答等のデータの送信を行う。ＣＰＵ３は良く知られているように制御、演算等を行う中央処理部分であり、ＲＡＭ４はＣＰＵ３の一時的な記録用に使用される。ＨＤＤ６には、配線データ及び配線データを生成する元となる回路図や、Ｖｅｒｉｌｏｇ、ＶＨＤＬ等のハードウエア記述言語で作成された回路データが格納されている。
【００１５】
ここで、更新可能回路とは、ＰＬＤやＦＰＧＡ等の書き換え可能なハードウエア素子で構成されている回路のことであり、回路データとは、特定の機能（ＭＰＥＧデコード、ＭＰ３デコードやその他の機能）を実現するために、ＶｅｒｉｌｏｇやＶＨＤＬ等のハードウエア記述言語で作成された情報のことを表し、配線データとは、回路データからある条件（速度、ピン配置等）に合致するように導き出された更新可能回路内部の素子と素子とを結ぶ情報等のことを示す。
例えば、ＦＰＧＡであれば、複数のＣＬＢ（コンフィギュアブル・ロジック・ユニット）の機能と、ＣＬＢ間の配線、ピンとＣＬＢ間の配線等を変更することができるが、配線データとは、ＣＬＢへの設定情報、ＣＬＢ間の配線、ピンとＣＬＢ間の配線等の情報を表している。
【００１６】
図１のＡＴＡ／ＡＴＡＰＩインタフェース５は、ＨＤＤ６のインタフェースであるＡＴＡ（ＡＴ  Ａｔｔａｃｈｍｅｎｔ）／ＡＴＡＰＩ（ＡＴ  Ａｔｔａｃｈｍｅｎｔ  Ｐａｃｋｅｔ  Ｉｎｔｅｒｆａｃｅ）とバスとの変換を行う。
【００１７】
図４のフローチャートにより、回路更新データ送信手順を説明する。
ユーザ側から送信された回路更新のための配線データ要求コマンドと更新可能回路の構成条件を受信装置１で受信する（Ｓ１）。更新可能回路の構成条件には、図７に示すように、回路の機能、更新可能回路のメーカー名、型名、遅延条件、ピン配置等がある。
【００１８】
次に、ユーザ側が要求した配線データが存在するかＨＤＤ６を検索する（Ｓ２）。
検索の結果（Ｓ３）、配線データが存在するならば、配線データをユーザ側に送信装置装置２から送信（Ｓ６）して終了する。一方、配線データが存在しない場合は、ユーザの要求する回路図やハードウエア記述言語で作成された回路データがＨＤＤ６に存在し、かつ、ユーザの要求する構成条件で配線データの作成が可能（Ｓ４）ならば、ＣＰＵ３は配線データを作成し（Ｓ５）、作成された配線データを送信装置２からユーザ側に送信（Ｓ６）して終了する。
【００１９】
上記Ｓ５、Ｓ６の手順は、例えば、ユーザの要求する構成条件が図７の構成条件ならば、「ＭＰＥＧ４伸張」という機能に関する回路データがＨＤＤ６に存在し、かつ、ＦＰＧＡメーカー名、ＦＰＧＡ型名、最大遅延、ピン配置の各々の項目に記載されている条件で配線データが作成可能であれば、配線データを作成することを示す。また、配線の作成が不可能（Ｓ４）ならば、ユーザ側へ回路更新不可能通知を送信装置２より送信（Ｓ７）して終了する。
【００２０】
ところで、回路図やハードウエア記述言語で作成された回路データから配線データを作成するのには通常時間がかかるので、図５の回路更新データ送信手順に示すように、配線データの作成が可能と判断された後（Ｓ１４、Ｙｅｓ）、まずユーザ側へ回路更新可能通知を送信（Ｓ１５）してから配線データ作成（Ｓ１６）を行うようにすることもできる。図５の手順はＳ１５のステップを除き、他のステップついては図４と同様である。
【００２１】
なお、一度作成した配線データは、所定の期間ＨＤＤ６に残しておき、その所定の期間が過ぎれば消去するようにし、ＨＤＤ６が満杯にならないようにすることができる。
【００２２】
図２は、ユーザ側の更新可能な回路に画像及び音声圧縮データの伸張回路を構成し、例えばＭＰＥＧ４のように画像及び音声圧縮データを伸張して、通信網から受信した画像及び音声信号を再生する構成例を示している。ＣＰＵ１１０は、回路やデバイスの制御を行うものであるが、伸張処理を行わないので低性能のものであっても良い。
【００２３】
ＲＡＭ１１１は、ＣＰＵ１１０の一時的な記録用に用いられ、不揮発メモリ１１２はＣＰＵ１１０のプログラム格納及び更新可能回路の更新データ格納に使用される。また、ＲＡＭ１０３は伸張処理の一時的なデータ記録に用いられる。受信装置１０１は上述したサービス局からの画像及び音声圧縮データの受信、コマンドに対する応答の受信と更新可能回路の更新データの受信を行う。
【００２４】
図６のフローチャートにしたがって回路更新の手順を説明する。
まず、ユーザ（利用者）からの回路更新指示が入力されると（Ｓ２１）、回路更新データ要求コマンド及び更新可能回路の構成条件をサービス局に送信する（Ｓ２２）。この構成条件は、例えば、図７のようなものであり、機能、更新可能回路のメーカー名、型名、遅延条件、ピン配置等が含まれる。
【００２５】
次に、回路更新データ要求コマンド及び更新可能回路の構成条件が、サービス局側で受信されると、図４のフローチャートで説明したような手順に沿って回路更新が可能かどうかがサービス局側で判定され、回路更新が不可能な場合は、その通知が送信され、回路更新可能な場合は、回路変更可能通知とともに配線データが送信される。
【００２６】
これらの情報をユーザ側で受信し、回路変更可能か否か判断する（Ｓ２３）。サービス局からの応答が「回路変更不可能」の場合、ユーザに回路変更失敗を通知し（Ｓ２７）終了する。
【００２７】
一方、サービス局からの応答が「回路変更可能」の場合、配線データを受信（Ｓ２４）して、不揮発メモリ１１２に格納する。回路更新データの受信が終了したら配線データを不揮発メモリ１１２から更新可能回路１００に転送して回路更新を行った（Ｓ２５）後、ユーザに回路更新成功を通知（Ｓ２６）して終了する。
【００２８】
更新された回路は、データの伸張機能を有することとなるので、通信網から受信手段１０１が受信したＡＶ圧縮データは伸張回路（更新可能回路）１００で伸張され、伸張した画像データと音声データが伸張回路１００から出力される。そして、各々画像ＤＡＣ（Ｄｉｇｉｔａｌ−Ａｎａｌｏｇ  Ｃｏｎｖｅｒｔｅｒ）１０４と音声ＤＡＣ１０５を通ってアナログ画像信号とアナログ音声信号になる。
【００２９】
図３は、図２とは異なる実施形態の構成を示す。
図１と比較して画像ＤＡＣ１０４がなく、ＭＰ３（ＭＰＥＧ  Ａｕｄｉｏ  Ｌａｙｅｒ３）等の音声圧縮データのみの伸張を行う。
【００３０】
図８は、ＤＶＤドライブと配信コンテンツを一時記録するＨＤＤを有する複合機器の伸張回路の更新を示す構成例である。
図２の構成に、ＨＤＤ１１３、ＤＶＤドライブ１１４、ＡＴＡ／ＡＴＡＰＩインターフェース１１５、イーサネット（登録商標）物理層ＬＳＩ１１６が付加された構成となっている。ＨＤ１１３には、コンテンツ配信局からダウンロードされたＤＶＤビデオ、ＤＶＤオーディオ、ＭＰＥＧ４圧縮方式のコンテンツ等が一時記憶される。
【００３１】
ＤＶＤドライブ１１４は、ＤＶＤビデオディスクやＤＶＤオーディオディスクの再生ができるようになっている。ＡＴＡ／ＡＴＡＰＩインタフェース１１５は、ＨＤＤ１１３及びＤＶＤドライブ１１４のインタフェースであるＡＴＡ（ＡＴ  Ａｔｔａｃｈｍｅｎｔ）／ＡＴＡＰＩ（ＡＴ  Ａｔｔａｃｈｍｅｎｔ  Ｐａｃｋｅｔ  Ｉｎｔｅｒｆａｃｅ）とバスとの変換を行う。図８では、ＤＶＤビデオ、ＤＶＤオーディオ、ＭＰＥＧ４の圧縮方式のコンテンツのいずれも更新可能回路（伸張回路）１００によって再生することができるようになっている。
【００３２】
再生する手順を図９のフローチャートを参照しながら説明する。
まずユーザから再生を行いたいメディア、すなわち更新を希望するメディアに関する回路更新指示が入力される（Ｓ３１）と、ユーザの希望するメディアの種類が判断される（Ｓ３２）。
【００３３】
メディアの種類がＤＶＤビデオの場合、ＤＶＤビデオ回路更新データ要求コマンド及び更新回路の構成条件を送信装置１０２からサービス局に送信する（Ｓ３４）。
【００３４】
また、ＤＶＤオーディオの場合、ＤＶＤオーディオ回路更新データ要求コマンド及び更新回路の構成条件を送信装置１０２からサービス局に送信する（Ｓ３５）。また、ＭＰＥＧ４の圧縮方式コンテンツの場合、ＭＰＥＧ４回路更新データ要求コマンド及び更新回路の構成条件を送信装置１０２からサービス局に送信する（Ｓ３６）。
【００３５】
サービス局では、図４の手順にしたがって更新回路の構成条件に対応した更新用の配線データが存在するか、又は配線データ作成可能か等を判定してユーザ側に回路更新可能か否かのデータや配線データを送信する。ユーザ側では、これらサービス局からの送信データを基に、回路更新可能か否かの判断を行う（Ｓ３７）。回路更新が不可能であれば、ユーザに回路更新失敗を通知（Ｓ４１）して終了する。一方、回路更新が可能であれば、サービス局からの配線データを受信装置１０１で受信し（Ｓ３８）、不揮発メモリ１１２に格納する。配線データの受信が終了すれば、配線データを不揮発メモリ１１２から更新可能回路１００に転送して回路更新を行い（Ｓ３９）、ユーザに回路更新成功を通知して（Ｓ４０）終了する。
【００３６】
更新可能回路１００は、更新用の配線データの種類によって色々な機能を発揮することになり、例えば、配線データがＤＶＤビデオ回路に対応したものであれば、ＤＶＤドライブ１１４により読み取られたＤＶＤビデオデータまたはＨＤＤ１１３から読み出されたＤＶＤビデオデータを更新可能回路１００に通してデータを伸張し、伸張されたデータを画像ＤＡＣ１０４及び音声ＤＡＣ１０５に通すことによりＤＶＤビデオを再生することができる。
【００３７】
以上のように、ユーザがＡＶデータ等の再生を行いたい場合、ＡＶデータの圧縮方式が多様であっても、再生時に圧縮方式に対応した伸張方式の配線データを取得して更新可能回路を逐次更新することで再生を行うことができる。
【００３８】
【発明の効果】
本発明によれば、サービス局側の多数の回路データや配線データが記憶されているサービス局側の電子装置と更新可能な回路を有するユーザ側の電子装置とを通信手段で接続し、更新要求とともに電子装置内の更新可能回路の構成条件をユーザ側からサービス局側に送信するようにしたので、サービス局側でその構成条件に合致する配線データを抽出または作成して、ユーザ側に返信することができ、サービス局側に更新可能回路の構成条件に合致した更新データを有している限り、個々のユーザ側が必要とする異なる回路更新データを正確かつ容易に提供することができる。
【図面の簡単な説明】
【図１】本発明のサービス局側の電子装置構成例を示す図である。
【図２】本発明のユーザ側の電子装置構成例を示す図である。
【図３】本発明のユーザ側の電子装置構成例を示す図である。
【図４】本発明のサービス局側における電子装置更新方法の処理ステップを示すフローチャートである。
【図５】本発明のサービス局側における電子装置更新方法の処理ステップを示すフローチャートである。
【図６】本発明のユーザ側における電子装置更新方法の処理ステップを示すフローチャートである。
【図７】更新可能回路の構成条件例を示す図である。
【図８】本発明のユーザ側の電子装置構成例を示す図である。
【図９】図８におけるユーザ側の電子装置の更新方法の処理ステップを示すフローチャートである。
【符号の説明】
１  受信装置
２  送信装置
３  ＣＰＵ
４  ＲＡＭ
５  ＡＴＡ／ＡＴＡＰＩ  インタフェース
６  ＨＤＤ
１００  更新可能回路
１０１  受信装置
１０２  送信装置
１０３  ＲＡＭ
１０４  画像ＤＡＣ
１０５  音声ＤＡＣ
１１０  ＣＰＵ
１１１  ＲＡＭ
１１２  不揮発メモリ
１１３  ＨＤＤ
１１４  ＤＶＤドライブ
１１５  ＡＴＡ／ＡＴＡＰＩ  インタフェース
１１６  イーサネット（登録商標）物理層ＬＳＩ
【図１】
2005011122.tif 000003
【図２】
2005011122.tif 000004
【図３】
2005011122.tif 000005
【図４】
2005011122.tif 000006
【図５】
2005011122.tif 000007
【図６】
2005011122.tif 000008
【図７】
2005011122.tif 000009
【図８】
2005011122.tif 000010
【図９】
2005011122.tif 000011